(57)【要約】【課題】照射方向を連続的に変更できる照明装置を提供する。【解決手段】照明装置１は、光源と、前記光源を保持するハウジング２と、ハウジング２の両端から、ハウジング２の長手軸方向に突出する１対の突出部３と、１対の突出部３をそれぞれ把持して、ハウジング２が前記長手軸回りに自在に回転するように軸支する一対のホルダー４と、を備えることを特徴とする。突起部３は、ハウジング２の両端から、ハウジング２の長手軸方向に突出する円柱部材であり、前記円柱の回転中心軸がハウジング２の長手方向の軸と同軸になるように配置される。ホルダー４は、突起部３を前記長手軸回りに回転自在に把持する把持部材であり、板状体を円弧状に曲げて形成され、前記円弧の直径は突起部３の直径より僅かに小さくされる。【選択図】図１
2010199011.tif 000002
【特許請求の範囲】
【請求項１】
光源と、
前記光源を保持するハウジングと、
前記ハウジングの両端から、前記ハウジングの長手軸方向に突出する１対の突出部と、
前記１対の突出部をそれぞれ把持して、前記ハウジングが前記長手軸回りに自在に回転するように軸支する一対のホルダーと、を備える
ことを特徴とする照明装置。
【請求項２】
前記ホルダーは、前記突出部を押圧する弾性部材を有して、
前記弾性部材の押圧力によって、前記ハウジングを前記長手軸回りの任意の角度で保持する
ことを特徴とする請求項１に記載の照明装置。
【請求項３】
前記突出部は前記長手軸を回転中心とする円柱部材であり、
前記弾性部材は前記円柱部材に外挿される円弧部材で、前記円弧部材の無負荷状態における内径は、前記円柱部材の外形より小さい
ことを特徴とする請求項２に記載の照明装置。
【請求項４】
前記光源はＬＥＤ素子である
ことを特徴とする請求項１に記載の照明装置。
【請求項５】
前記ＬＥＤ素子は、回路基板の表面に配設されている
ことを特徴とする請求項４に記載の照明装置。
【請求項６】
前記ハウジングの前記ＬＥＤ素子と対向する面に開口する開口部を有する
ことを特徴とする請求項５に記載の照明装置。
【請求項７】
前記開口部を覆うカバーを有する
ことを特徴とする請求項６に記載の照明装置。
【発明の詳細な説明】
【技術分野】
【０００１】
本発明は、照射方向を連続的に変更できる照明装置に関する。
【背景技術】
【０００２】
特許文献１には、ＬＥＤ素子を内蔵した透明円筒パイプ内の両端に、蛍光灯器具のソケットに嵌合する端子を備えてなるＬＥＤ照明装置が記載されている。
【０００３】
このＬＥＤ照明装置は、蛍光灯器具のソケットに嵌合する端子を備えているので、通常の蛍光灯の代わりに既設の蛍光灯器具に取り付けて使用することができる。しかし、このＬＥＤ照明装置のＬＥＤ素子は透明円筒パイプ内に固定され、透明円筒パイプは蛍光灯器具に固定されているので、ＬＥＤ照明装置の照射方向を所望の方向に変更することができないという問題があった。
【０００４】
そこで、この問題を解決するために、ＬＥＤ照明装置の透明円筒パイプの両端に、その透明円筒パイプの中心軸回りに自在に回転する端部パイプを取り付けて、その端部パイプに蛍光灯器具のソケットに嵌合する端子を備えることが特許文献２で提案されている。
【先行技術文献】
【特許文献】
【０００５】
【特許文献１】特開２００１−３５１４０２号公報
【特許文献２】特開２００７−０１２３２２号公報
【発明の概要】
【発明が解決しようとする課題】
【０００６】
特許文献２に記載のＬＥＤ照明装置は、蛍光灯器具のソケットに固定された端部パイプに対して、透明円筒パイプが回転するので、照明光の照射方向を変更することができる。
【０００７】
しかし、透明円筒パイプの回転角度は、透明円筒パイプに取り付けられたプランジャと、端部パイプに穿設された小孔が嵌合する位置で保持されるので、ＬＥＤ照明装置の照射方向を自在に微調整できないという問題があった。例えば、小孔が透明円筒パイプの回転角度９０°に相当するピッチで配置されている場合、ＬＥＤ照明装置の照射方向は９０°ピッチでしか変更できなかった。小孔の数を増やせば、照射方向を小さなピッチで変更できるが、小孔の数は有限であるから、このＬＥＤ照明装置は、照射方向を離散的に選択することはできるが、照射方向を連続的に変更することはできなかった。
【０００８】
本発明は、上記実情に鑑みてなされたものであり、照射方向を連続的に変更できる照明装置を提供することを目的とする。
【課題を解決するための手段】
【０００９】
本発明に係る照明装置は、光源と、前記光源を保持するハウジングと、前記ハウジングの両端から、前記ハウジングの長手軸方向に突出する１対の突出部と、前記１対の突出部をそれぞれ把持して、前記ハウジングが前記長手軸回りに自在に回転するように軸支する一対のホルダーと、を備えることを特徴とする。
【発明の効果】
【００１０】
本発明によれば、照明光の照射方向を連続的に変更して、照射方向を任意の方向に固定することができる。
【図面の簡単な説明】
【００１１】
【図１】本発明の実施形態を示す照明装置の外形図である。（ａ）は照明装置の基本的な構成を示す図であり、（ｂ）は、照明装置の機能を示す図である。
【図２】照明装置の詳細な構成を示す分解図である。
【図３】照明装置を天井に取付けた状態を示す図である。（ａ）は外形図であり、（ｂ）は、機能を示す図である。
【図４】照明装置を壁面に取付けた状態を示す図である。
【図５】突起部及びホルダーの変形例を示す図である。（ａ）は、突起部の縦断面図であり、（ｂ）は、（ａ）のＡ−Ａ’線で切断した横断面図であり、（ｃ）は、ホルダーの外形図である。
【図６】ホルダーの変形例を示す図である。
【図７】ホルダーを天井に締結する変形例を示す図である。
【発明を実施するための形態】
【００１２】
以下、本発明の実施形態に示す照明装置１の構成と作用を、図面を参照しながら説明する。
【００１３】
照明装置１は、天井、壁等（以下、「取付場所」と言うことにする。）に取り付けて使用される照明装置であり、図１（ａ）に示すように、ハウジング２と、ハウジング２の両端から突出する突起部３と、突起部３を把持するホルダー４を備える。
【００１４】
ハウジング２は、後述するような光源を内蔵する筒状の筐体である。また、前記光源が発する光はハウジング２の外部に放出される。なお、ハウジング２の素材は、特に限定されない。例えば、各種のプラスチックの中から適当なものを選択する。
【００１５】
突起部３は、ハウジング２の両端から、ハウジング２の長手軸方向に突出する円柱部材であり、前記円柱の回転中心軸がハウジング２の長手方向の軸と同軸になるように配置される。
【００１６】
ホルダー４は、取付場所に固定されて、突起部３を前記長手軸回りに回転自在に把持する把持部材である。ホルダー４は板状体を円弧状に曲げて形成され、前記円弧の直径は突起部３の直径より僅かに小さくされる。そのため、突起部３をホルダー４に取付けると、前記円弧の直径が拡げられ、突起部３はホルダー４の直径を元に戻そうとする弾性力によって押圧される。また、ホルダー４の素材、形状及び寸法は適切に選択されて、自然な状態では、突起部３はホルダー４に把持されて、任意の角度で静止し、人手でハウジング２に力を加えれば、突起部３はホルダー４に対して回転する。
【００１７】
つまり、図１（ｂ）に示すように、人手でハウジング２に力を加えれば、ハウジング２はその長手方向の軸回りに自在に回転し、人手を離せば、ハウジング２は任意の回転角度（位置）で静止することができる。
【００１８】
次に、図２を参照しながら、照明装置１の詳細な構成を説明する。
【００１９】
前述したように、ハウジング２の内部には、光源が内蔵されるが、ここではＬＥＤ素子５を光源としている。ＬＥＤ素子５は回路基板６上に実装され、回路基板６はハウジング２の端部からハウジング２の内部に挿入されて、固定される。
【００２０】
なお、回路基板６には、外設される電源装置（不図示）から導線（不図示）を介して電力が供給され、ＬＥＤ素子５は前記電力によって発光する。
【００２１】
また、ハウジング２のＬＥＤ素子５と対向する側面には開口部７が形成され、開口部７はカバー８で覆われている。カバー８はＬＥＤ素子５を保護する透明な面体であり、カバー８の素材には、例えば透明なポリカーボネート樹脂等を選ぶと良い。このように、構成されているので、ＬＥＤ素子５から発光される光は、開口部７を通って外部に放出される。
【００２２】
突起部３は、キャップ９の端部に形成されている。また、キャップ９をハウジング２の両端の開口からハウジング２に嵌入すると、キャップ９はキャップ９自身の弾性によってハウジング２に固着される。つまり、キャップ９をハウジング２に嵌入すれば、突起部３がハウジング２に固着される。なお、言うまでもないことだが、キャップ９の形状、寸法はＬＥＤ素子５や回路基板６と干渉しないように選ばれる。
【００２３】
また、突起部３の先端には、ストッパー１０が設けられて、突起部３がホルダー４から抜け落ちるのを防止している。
【００２４】
ホルダー４は、突起部３を把持する把持部１１と、取付場所に接する取付面１２を有している。また、取付面１２には、ネジ穴１３が開けられて、ネジ穴１３にネジ１４を通して、取付場所に締結される。
【００２５】
さて、図３（ａ）および（ｂ）に示すように、照明装置１は天井１５に固定して使用することができる。前述したように、ハウジング２はその長手軸回りに自在に回転させて、任意の角度で止めることができるから、照明装置１の照明光が照明対象１６に当たるように、照射方向を調整することができる。
【００２６】
また、図４に示すように、照明装置１を壁面１７に固定して使用することもできる。この場合も、照明装置１の照明光が照明対象に当たるように、照射方向を調整することができる。
【００２７】
なお、本実施形態では、キャップ９の端部に突起部３を形成した例を示したが、本発明の技術的範囲はこれに限定されない。ハウジング２の両端に突起部３を直接取り付けても良い。例えば、ハウジング２の両端に突起部３を直接締結しても良いし、突起部３をハウジング２と一体に構成しても良い。
【００２８】
なお、本実施形態では、ハウジング２の側面には開口部７を設けて、ＬＥＤ素子５の発光が開口部７を通って、外部に放出されるようにしたが、本発明の技術的範囲はこれに限定されない。ハウジング２は、その内部に光源（本実施形態ではＬＥＤ素子５）を保持して、前記光源が発する光が外部に放出されるように構成されていれば十分であり、その形状、形態、材質は限定されない。例えば、ハウジング２全体を透明にしても良い。
【００２９】
突起部３及びホルダー４の形状、形態、材質も、本実施形態に示したものには限定されない。ハウジング２がハウジング２の長手軸回りに自在に回転するように軸支して、しかも任意の回転角度で静止するように構成されていれば十分である。また、突起部３及びホルダー４は複数の素材あるいは部材で構成されていても良い。例えば、図５（ａ）および（ｂ）に示すように、突起部３の外周面を、耐摩耗性に優れた保護膜１８で被覆すれば、突起部３の摩耗を抑制できる。あるいは、図５（ｃ）に示すように、把持部１１を保護膜１８で被覆しても良い。このように構成しても、同様の効果を得ることができる。なお、耐摩耗性に優れた保護膜１８の素材を例示すれば、ポリテトラフルオロエチレン、超高分子ポリエチレン、ウレタン樹脂、ポリアセタールなどが挙げられる。
【００３０】
また、ホルダー４の把持部１１の形状は、一の材を円弧状に曲げたものに限定されない。図６に示すように、略半円状に曲げた２枚の材を向かい合わせて結合して構成しても良い。この場合、把持部１１の下方が開くので、突起部３を把持部１１の下方に持ってきて、上方に持ち上げるだけで、突起部３と把持部１１を結合でき、突起部３を下方に引き下げるだけで、結合を解除できる。このように、突起部３と把持部１１の結合および解除が容易になる。
【００３１】
また、本実施形態では、ネジ１４を使って、ホルダー４を天井１５に締結固定する例（図２または図３）を示したが、ネジ１４による締結に代えて、図７に示すように、天井１５にレール部材１９を取り付け、レール部材１９に案内されてレール部材１９の長手方向（図の紙面に垂直な方向）に自在に移動する移動子２０にホルダー４を締結すれば、ホルダー４をレール部材１９に沿って自在に移動させることができる。また、２台のホルダー４相互の間隔を自在に変更することができるので、既設の照明装置１のハウジング２の寸法（長さ）を変更したり、既設の照明装置１の取付位置を変更したりすることが容易になる。
【００３２】
また、本実施形態では、照明装置１の光源をＬＥＤ素子５にした例を示したが、本発明の技術的範囲はこれに限定されない。各種の光源を備える照明装置に本発明を適用できる。また本発明は特許請求の範囲に記載された技術的思想の限りにおいて、自由に応用、変形、あるいは改良して実施できることは言うまでもない。
【００３３】
以上説明したように、本発明の照明装置は、照明光の照射方向を自在に変更して、任意の方向に固定できるので、ショーケース用の照明装置として好適である。また、洗面ユニット、学習デスクなどに取り付けることもでき、さらに棚下灯、通路灯として用いることもできる。
【符号の説明】
【００３４】
１  照明装置
２  ハウジング
３  突起部
４  ホルダー
５  ＬＥＤ素子
６  回路基板
７  開口部
８  カバー
９  キャップ
１０  ストッパー
１１  把持部
１２  取付面
１３  ネジ穴
１４  ネジ
１５  天井
１６  照明対象
１７  壁面
１８  保護膜
１９  レール部材
２０  移動子
【図１】
2010199011.tif 000003
【図２】
2010199011.tif 000004
【図３】
2010199011.tif 000005
【図４】
2010199011.tif 000006
【図５】
2010199011.tif 000007
【図６】
2010199011.tif 000008
【図７】
2010199011.tif 000009